(57)【要約】      （修正有）【課題】芸術的な装飾灯を提供すること。【解決課題】芸術的な装飾灯は造形本体１を含んでおり、造型本体の外に発光層２があって、当該発光層の外に装飾層３が設けられていることを特徴とする。本考案では、発光点を発光層になるようにして、発光層は均一に立体的なプラスチック製モデルのランタンの本体の内面と外面に分布することができる。それによって、放熱面積が増加し、製品のライフが長くなると共に、製品の明るさが均一化されて、その観賞性も著しく高まる。本体は、材質がグラスファイバー強化プラスチックとしているため、大きく形成されることができる。観衆に対して魅力は更に有している。利点は、製品の放熱条件が改善され、製品の観賞距離が増加し、魅力が向上することである。【選択図】図４
0003139520.tif 000002
【実用新案登録請求の範囲】
【請求項１】
造型本体（１）を含む芸術的な装飾灯において、芸術的な装飾灯の造型本体（１）の内に発光層（２）が設けていることを特徴とする芸術的な装飾灯。
【請求項２】
造型本体（１）を含む芸術的な装飾灯において、芸術的な装飾灯の造型本体（１）の内（１）には発光層（２）が設けられ、その本体（１）の外には装飾層（３）が設けられていること特徴とする芸術的な装飾灯。
【請求項３】
造型本体（１）を含む芸術的な装飾灯において、芸術的な装飾灯の造型本体（１）の外には発光層（２）が設けられていること特徴とする芸術的な装飾灯。
【請求項４】
造型本体（１）を含む芸術的な装飾灯において、芸術的な装飾灯の造型本体（１）の外に発光層（２）が設けられ、その発光層（２）の外に装飾層（３）が設けられていること特徴とする芸術的な装飾灯。
【請求項５】
前記造型本体（１）の材質はグラスファイバー強化プラスチック、或いはプラスチックとしていることを特徴とする請求項１〜４のいずれか一項に記載の芸術的な装飾灯。
【請求項６】
前記発光層（２）は半導体LED、或いはタングステン・フィラメント電球、或は光ファイバーをリード線によって電気的に直列・並列接続してなるものであることを特徴とする請求項１〜４のいずれか一項に記載の芸術的な装飾灯。
【請求項７】
前記装飾層（３）はカラーで透明な或いは全透明なプラスチック層であることを特徴とする請求項１〜４のいずれか一項に記載の芸術的な装飾灯。
【考案の詳細な説明】
【技術分野】
【０００１】
本考案は装飾的な照明に用いられ、慶事の雰囲気を作り、芸術的な気分を添える芸術的な装飾灯に関する。
【背景技術】
【０００２】
今のところ、市販の装飾灯はプラスチック製の中空モデルの内に１つ或いは複数の電球を据付けて、電源投入の時、光がプラスチック製の中空モデルを透過することによって、具体的な外観デザインが現れるものである。
【０００３】
このような製品には下記の欠点がある。
【０００４】
A．内部の空いているプラスチック製のモデルの本体は射出成形の手段で製造されたものである為、外観デザイン及び体積が大きく制約され、大きく形成されることが出来ない。
【０００５】
B．一つ或いは複数の電球がプラスチック製のモデルの内に置かれているため、その放熱性が悪く、かつ、光がプラスチック製のモデルを透過して弱くなることによって、観賞できる距離が短くなる。
【０００６】
C．光源は一つの点或いは面であるため、製品を全体的に発光させることができなく、観賞の効果が低下になった。
【考案の開示】
【考案が解決しようとする課題】
【０００７】
本考案の目的は製品の外観デザインがいろいろな、更に生き生きとし、製品の放熱条件が改善され、製品の観賞距離が増加し、魅力が向上する芸術的な装飾灯を提供することにある。
【課題を解決するための手段】
【０００８】
上記の目的を実現する為に、本考案の造型本体を含む芸術的な装飾灯において、芸術的な装飾灯の造型本体の内に発光層（２）が設けている。
【０００９】
また、本考案の造型本体を含む芸術的な装飾灯において、芸術的な装飾灯の造型本体の内には発光層が設けられ、その本体の外には装飾層が設けられている。
【００１０】
また、本考案の造型本体を含む芸術的な装飾灯において、芸術的な装飾灯の造型本体の外には発光層が設けられている。
【００１１】
また、本考案の造型本体を含む芸術的な装飾灯において、芸術的な装飾灯の造型本体の外に発光層が設けられ、その発光層の外に装飾層が設けられている。
【００１２】
また、本考案の造型本体の材質はグラスファイバー強化プラスチック、或いはプラスチックとしている。前記発光層は半導体LED、或いはタングステン・フィラメント電球、或は光ファイバーをリード線によって電気的に直列・並列接続してなるものである。前記装飾層はカラーで透明な或いは全透明なプラスチック層である。
【００１３】
本考案は発光点が発光層になり、発光層は均一に立体的なプラスチック製モデルのランタンの本体の内面と外面に分布することができる為、放熱面積が増加し、製品のライフが長くなると共に、製品の明るさが均一化され、その観賞性も著しく高まる。
【００１４】
本考案の造型本体は材料がグラスファイバー強化プラスチックであるため、大きく作られることができ、観賞性も著しく高まる。
【００１５】
本考案の利点は、製品の放熱条件が改善され、製品の観賞距離が増加し、魅力が向上することである。
【考案を実施するための最良の形態】
【００１６】
以下に添附の図面を参照しながら実施形態を利用して、本考案に対して更に詳しく説明する。
【００１７】
実施形態１
図１、２は虎状の芸術的な装飾灯の構成の模式図である。前記虎状の芸術的な装飾灯は虎状の造型本体１と発光層２で構成されている。前記虎状の造型本体１の材質はグラスファイバー強化プラスチックとしている。前記発光層２はタングステン・フィラメント電球をリード線によって電気的に直列・並列接続してなるものである。
【００１８】
造型本体１の内に発光層２が取り付けられている。造型本体１は人物状或いは動物状としても良い。
【００１９】
実施形態２
図３、４はスノーマン状の芸術的な装飾灯の構成の模式図である。前記スノーマン状の芸術的な装飾灯は造型本体１と、発光層２と、装飾層３とで構成されている。造型本体１の材質はグラスファイバー強化プラスチックとしている。前記造型本体１に発光層２が取り付けられている。前記発光層２は半導体LEDをリード線によって電気的に直列・並列接続してなるものである。造型本体１の外に装飾層３が取り付けられている。前記装飾層３はカラーで透明な或いは全透明なプラスチック層である。
【００２０】
造型本体１は人物状或いは動物状としても良い。
【００２１】
実施形態３
図５、６はシロクマ状の芸術的な装飾灯の構成の模式図である。前記シロクマ状の芸術的な装飾灯は造型本体１と発光層２で構成されている。造型本体１の材質はプラスチックとしている。前記造型本体１の外部に発光層２が取り付けられている。前記発光層２は光ファイバーを直列・並列接続してなるものである。
【００２２】
実施形態４
図７、８はサンタクロース状の芸術的な装飾灯の構成の模式図である。前記サンタクロース状の芸術的な装飾灯は造型本体１と、発光層２と、装飾層３とで構成されている。造型本体１の材質はグラスファイバー強化プラスチックで、サンタクロースの造型本体１の外に発光層２が取り付けられている。前記発光層２は半導体LEDをリード線によって電気的に直列・並列接続してなるものである。発光層２の外に更に装飾層３が取り付けられている。前記装飾層３はカラーで透明な或いは全透明なプラスチック層である。
【００２３】
造型本体１は人物状或いは動物状としても良い。
【００２４】
実施形態５
図９はライオン状の芸術的な装飾灯の構成の模式図である。前記ライオン状の芸術的な装飾灯はライオン状の造型本体１と、発光層２と、装飾層３とで構成されている。その他の構成は実施形態４と同じである。
【００２５】
実施形態６
図１０はヒョウ状の芸術的な装飾灯の構成の模式図である。前記述ヒョウ状の芸術的な装飾灯はヒョウ状の造型本体１と、発光層２と、装飾層３とで構成されている。その他の構成は実施形態４と同じである。
【００２６】
実施形態７
図１１は象状の芸術的な装飾灯の構成の模式図である。前記象状の芸術的な装飾灯は象状の造型本体１と、発光層２と、装飾層３とで構成されている。その他の構成は実施形態４と同じである。
【００２７】
実施形態８
図１２は駱駝状の芸術的な装飾灯の構成の模式図である。前記駱駝状の芸術的な装飾灯は駱駝状の造型本体１と、発光層２と、装飾層３とで構成されている。その他の構成は実施形態４と同じである。
【００２８】
実施形態９
図１３は牛状の芸術的な装飾灯の構成の模式図である。前記牛状の芸術的な装飾灯は牛状の造型本体１と、発光層２と、装飾層３とで構成されている。その他の構成は実施形態４と同じである。
【００２９】
実施形態１０
図１４は馬状の芸術的な装飾灯の構成の模式図である。前記馬状の芸術的な装飾灯は馬状の造型本体１と、発光層２と、装飾層３とで構成されている。その他の構成は実施形態４と同じである。
【００３０】
実施形態１１
図１５は、羊状の芸術的な装飾灯の構成の模式図である。前記羊状の芸術的な装飾灯は羊状の造型本体１と、発光層２と、装飾層３とで構成されている。その他の構成は実施形態４と同じである。
【００３１】
実施形態１２
図１６は鹿状の芸術的な装飾灯の構成の模式図である。前記鹿状の芸術的な装飾灯は鹿状の造型本体１と、発光層２と、装飾層３とで構成されている。その他の構成は実施形態４と同じである。
【００３２】
実施形態１３
図１７はトナカイ状の芸術的な装飾灯の構成の模式図である。前記トナカイ状の芸術的な装飾灯はトナカイ状の造型本体１と、発光層２と、装飾層３とで構成されている。その他の構成は実施形態４と同じである。
【００３３】
実施形態１４
図１８はキリン状の芸術的な装飾灯の構成の模式図である。前記キリン状の芸術的な装飾灯はキリン状の造型本体１と、発光層２と、装飾層３とで構成されている。その他の構成は実施形態４と同じである。
【００３４】
実施形態１５
図１９はパンダ状の芸術的な装飾灯の構成の模式図である。前記パンダ状の芸術的な装飾灯はパンダ状の造型本体１と、発光層２と、装飾層３とで構成されている。その他の構成は実施形態４と同じである。
【００３５】
実施形態１６
図２０はワニ状の芸術的な装飾灯の構成の模式図である。前記ワニ状の芸術的な装飾灯はワニ状の造型本体１と、発光層２と、装飾層３とで構成されている。その他の構成は実施形態４と同じである。
【００３６】
実施形態１７
図２１はカメ状の芸術的な装飾灯の構成の模式図である。前記カメ状の芸術的な装飾灯はカメ状の造型本体１と、発光層２と、装飾層３とで構成されている。その他の構成は実施形態４と同じである。
【００３７】
実施形態１８
図２２はフラミンゴ状の芸術的な装飾灯の構成の模式図である。前記フラミンゴ状の芸術的な装飾灯はフラミンゴ状の造型本体１と、発光層２と、装飾層３とで構成されている。その他の構成は実施形態４と同じである。
【００３８】
実施形態１９
図２３は鷹状の芸術的な装飾灯の構成の模式図である。前記鷹状の芸術的な装飾灯は鷹状の造型本体１と、発光層２と、装飾層３で構成されている。その他の構成は実施形態４と同じである。
【００３９】
実施形態２０
図２４のカンガルー状の芸術的な装飾灯の構成の模式図である。前記カンガルー状の芸術的な装飾灯はカンガルー状の造型本体１と、発光層２と、装飾層３とで構成されている。その他の構成は実施形態４と同じである。
【００４０】
実施形態２１
図２５はコアラ状の芸術的な装飾灯の構成の模式図である。前記コアラ状の芸術的な装飾灯はコアラ状の造型本体１と、発光層２と、装飾層３で構成されている。その他の構成は実施形態４と同じである。
【００４１】
実施形態２２
図２６はペンギン状の芸術的な装飾灯の構成の模式図である。前記ペンギン状の芸術的な装飾灯はペンギン状の造型本体１と、発光層２と、装飾層３とで構成されている。その他の構成は実施形態４と同じである。
【００４２】
実施形態２３
図２７は白鳥状の芸術的な装飾灯の構成の模式図である。前記白鳥状の芸術的な装飾灯は白鳥状の造型本体１と、発光層２と、装飾層３で構成されている。その他の構成は実施形態４と同じである。
【００４３】
実施形態２４
図２８はガッチョウ状の芸術的な装飾灯の構成の模式図である。前記ガッチョウ状の芸術的な装飾灯はガッチョウ状の造型本体１と、発光層２と、装飾層３とで構成されている。その他の構成は実施形態４と同じである。
【００４４】
実施形態２５
図２９はアヒル状の芸術的な装飾灯の構成の模式図である。前記アヒル状の芸術的な装飾灯はアヒル状の本体１と、発光層２と、装飾層３とで構成されている。その他の構成は実施形態４と同じである。
【００４５】
実施形態２６
図３０は猫状の芸術的な装飾灯の構成の模式図である。前記猫状の芸術的な装飾灯は猫状の造型本体１と、発光層２と、装飾層３とで構成されている。その他の構成は実施形態４と同じである。
【００４６】
実施形態２７
図３１は犬状の芸術的な装飾灯の構成の模式図である。前記犬状の芸術的な装飾灯は犬状の造型本体１と、発光層２と、装飾層３で構成されている。その他の構成は実施形態４と同じである。
【００４７】
実施形態２８
図３２はエンゼル状の芸術的な装飾灯の構成の模式図である。前記エンゼル状の芸術的な装飾灯はエンゼル状の造型本体１と、発光層２と、装飾層３とで構成されている。その他の構成は実施形態４と同じである。
【００４８】
図３３はスター状の芸術的な装飾灯の構成の模式図である。前記スター状の芸術的な装飾灯はスター状の造型本体１と、発光層２と、装飾層３とで構成されている。その他の構成は実施形態４と同じである。
【００４９】
図３４は雪花状の芸術的な装飾灯の構成の模式図である。前記雪花状の芸術的な装飾灯は雪花状の造型本体１と、発光層２と、装飾層３とで構成されている。その他の構成は実施形態４と同じである。
【００５０】
図３５はハレー彗星状の芸術的な装飾灯の構成の模式図である。前記ハレー彗星状の芸術的な装飾灯はハレー彗星状の造型本体１と、発光層２と、装飾層３とで構成されている。その他の構成は実施形態４と同じである。
【００５１】
図３６はクリスマス・ツリー状の芸術的な装飾灯の構成の模式図である。前記クリスマス・ツリー状の芸術的な装飾灯はクリスマス・ツリー状の造型本体１と、発光層２と、装飾層３とで構成されている。その他の構成は実施形態４と同じである。
【００５２】
図３７は英語のアルファベット文字状の芸術的な装飾灯の構成の模式図である。前記英語のアルファベット文字状の芸術的な装飾灯は英語のアルファベット文字の造型本体１と、発光層２と、装飾層３とで構成されている。その他の構成は実施形態４と同じである。
【図面の簡単な説明】
【００５３】
【図１】虎状の芸術的な装飾灯の構成の模式図である。
【図２】図１の断面部分図である。
【図３】はスノーマン状の芸術的な装飾灯の構成の模式図である。
【図４】図３の断面部分図である。
【図５】シロクマ状の芸術的な装飾灯の構成の模式図である。
【図６】図５の断面部分図である。
【図７】サンタクロース状の芸術的な装飾灯の構成の模式図である。
【図８】図７の断面部分図である。
【図９】ライオン状の芸術的な装飾灯の構成の模式図である。
【図１０】ヒョウ状の芸術的な装飾灯の構成の模式図である。
【図１１】象状の芸術的な装飾灯の構成の模式図である。
【図１２】駱駝状の芸術的な装飾灯の構成の模式図である。
【図１３】牛状の芸術的な装飾灯の構成の模式図である。
【図１４】馬状の芸術的な装飾灯の構成の模式図である。
【図１５】羊状の芸術的な装飾灯の構成の模式図である。
【図１６】鹿状の芸術的な装飾灯の構成の模式図である。
【図１７】トナカイ状の芸術的な装飾灯の構成の模式図である。
【図１８】キリン状の芸術的な装飾灯の構成の模式図である。
【図１９】パンダ状の芸術的な装飾灯の構成の模式図である。
【図２０】ワニ状の芸術的な装飾灯の構成の模式図である。
【図２１】カメ状の芸術的な装飾灯の構成の模式図である。
【図２２】フラミンゴ状の芸術的な装飾灯の構成の模式図である。
【図２３】鷹状の芸術的な装飾灯の構成の模式図である。
【図２４】カンガルー状の芸術的な装飾灯の構成の模式図である。
【図２５】コアラ状の芸術的な装飾灯の構成の模式図である。
【図２６】ペンギン状の芸術的な装飾灯の構成の模式図である。
【図２７】白鳥状の芸術的な装飾灯の構成の模式図である。
【図２８】ガチョウ状の芸術的な装飾灯の構成の模式図である。
【図２９】アヒル状の芸術的な装飾灯の構成の模式図である。
【図３０】猫状の芸術的な装飾灯の構成の模式図である。
【図３１】犬状の芸術的な装飾灯の構成の模式図である。
【図３２】エンゼル状の芸術的な装飾灯の構成の模式図である。
【図３３】スター状の芸術的な装飾灯の構成の模式図である。
【図３４】雪花状の芸術的な装飾灯の構成の模式図である。
【図３５】ハレー彗星状の芸術的な装飾灯の構成の模式図である。
【図３６】クリスマス・ツリー状の芸術的な装飾灯の構成の模式図である。
【図３７】英語のアルファベット文字状の芸術的な装飾灯の構成の模式図である。
【符号の説明】
【００５４】
１…造型本体
２…発光層
３…装飾層
【図１】
0003139520.tif 000003
【図２】
0003139520.tif 000004
【図３】
0003139520.tif 000005
【図４】
0003139520.tif 000006
【図５】
0003139520.tif 000007
【図６】
0003139520.tif 000008
【図７】
0003139520.tif 000009
【図８】
0003139520.tif 000010
【図９】
0003139520.tif 000011
【図１０】
0003139520.tif 000012
【図１１】
0003139520.tif 000013
【図１２】
0003139520.tif 000014
【図１３】
0003139520.tif 000015
【図１４】
0003139520.tif 000016
【図１５】
0003139520.tif 000017
【図１６】
0003139520.tif 000018
【図１７】
0003139520.tif 000019
【図１８】
0003139520.tif 000020
【図１９】
0003139520.tif 000021
【図２０】
0003139520.tif 000022
【図２１】
0003139520.tif 000023
【図２２】
0003139520.tif 000024
【図２３】
0003139520.tif 000025
【図２４】
0003139520.tif 000026
【図２５】
0003139520.tif 000027
【図２６】
0003139520.tif 000028
【図２７】
0003139520.tif 000029
【図２８】
0003139520.tif 000030
【図２９】
0003139520.tif 000031
【図３０】
0003139520.tif 000032
【図３１】
0003139520.tif 000033
【図３２】
0003139520.tif 000034
【図３３】
0003139520.tif 000035
【図３４】
0003139520.tif 000036
【図３５】
0003139520.tif 000037
【図３６】
0003139520.tif 000038
【図３７】
0003139520.tif 000039